(57)【要約】【課題】天井における照明器具取付孔の大きさが異なる場合でも、照明器具を簡単に取り付けでき、コストダウンできる照明器具取付装置を提供する。【解決手段】照明器具１１を天井３０の照明器具取付孔３１に着脱可能に取り付けるための照明器具取付装置である。照明器具１１を着脱可能に保持するリニューアルプレート１２と、リニューアルプレート１２の上面１３に設けられ、照明器具取付孔１３の直径方向に設けられた複数の被係合部１４を有するガイド部１５と、ガイド部１５における被係合部１４に着脱可能に係合される係合部１６、および天井３０における照明器具取付孔３１の周壁部３２に係止される係止部１７とを有する着脱治具１８と、を備える。【選択図】図１
2012195146.tif 000002
【特許請求の範囲】
【請求項１】
照明器具を天井の照明器具取付孔に着脱可能に取り付けるための照明器具取付装置であって、
前記照明器具を着脱可能に保持するリニューアルプレートと、
前記リニューアルプレートの上面に設けられ、前記照明器具取付孔の直径方向に間隔をあけて配設された複数の被係合部を有するガイド部と、
前記ガイド部における前記被係合部に着脱可能に係合される係合部、および前記天井における前記照明器具取付孔の周壁部に係止される係止部とを有する着脱治具と、を備える照明器具取付装置。
【請求項２】
請求項１に記載の照明器具取付装置において、
前記着脱治具は、前記係止部が前記照明器具取付孔の周壁部に係止された姿勢で、前記着脱治具本体の保持する姿勢保持部を有する照明器具取付装置。
【請求項３】
請求項１または請求項２に記載の照明器具取付装置において、
前記着脱治具における前記係合部は前記被係合部方向に弾性変形可能に形成されている照明器具取付装置。
【請求項４】
請求項１ないし請求項３のいずれか１項に記載の照明器具取付装置において、
前記係止部は、前記係合部が前記被係合部に対して回動されることにより、前記照明器具取付孔の周壁部に係止または係止解錠される照明器具取付装置。
【発明の詳細な説明】
【技術分野】
【０００１】
本発明は、照明器具取付装置に関する。
【背景技術】
【０００２】
従来、天井に取り付けられているダウンライト（照明器具）を取り替える際に、天井の照明器具取付孔に取り付けられている照明器具を取り外し、その照明器具取付孔に別のダウンライトを取り付ける技術が知られている（例えば、特許文献１参照）。
【先行技術文献】
【特許文献】
【０００３】
【特許文献１】特開２００９−９３８３６号公報（請求項１、段落００１７、段落００１８、図１）
【発明の概要】
【発明が解決しようとする課題】
【０００４】
しかしながら、 従来の技術では、既設の照明器具取付孔の大きさが種々異なるため、ダウンライトの取付部の大きさを、対象となる照明器具取付孔の大きさに合わせて一々、設計、製造する必要があり、コストアップになるおそれがあった。
【０００５】
本発明は、天井における照明器具取付孔の大きさが変わった場合でも、照明器具を簡単に取り付けでき、コストダウンできる照明器具取付装置を提供することにある。
【課題を解決するための手段】
【０００６】
本発明は、照明器具を天井の照明器具取付孔に着脱可能に取り付けるための照明器具取付装置であって、前記照明器具を着脱可能に保持するリニューアルプレートと、前記リニューアルプレートの上面に設けられ、前記照明器具取付孔の直径方向に間隔をあけて配設された複数の被係合部を有するガイド部と、前記ガイド部における前記被係合部に着脱可能に係合される係合部、および前記天井における前記照明器具取付孔の周壁部に係止される係止部を有する着脱治具と、を備える。
【０００７】
ここで、前記着脱治具は、前記係止部が前記照明器具取付孔の周壁部に係止された姿勢で、前記着脱治具本体の姿勢を保持する姿勢保持部を有する。
【０００８】
また、前記着脱治具における前記係合部は前記被係合部方向に弾性変形可能に形成されている。
【０００９】
また、前記着脱治具における前記係合部は、前記被係合部に対して前記照明器具取付孔の直径方向に回動自在に係合される。
【００１０】
また、前記係止部は、前記係合部が前記被係合部に対して回動されることにより、前記照明器具取付孔の周壁部に係止または係止解錠される。
【発明の効果】
【００１１】
本発明によれば、天井の照明器具取付孔の大きさが変わった場合でも、リニューアルプレートにおける着脱治具の照明器具取付孔の直径方向の位置を調整することができる。このため、照明器具を保持するリニューアルプレートを照明器具取付孔に簡単に取り付けできる。したがって、従来のように、照明器具取付孔の大きさに合わせて、その都度リニューアルプレートを設計および製造する必要がなく、コストダウンが可能になる。
【図面の簡単な説明】
【００１２】
【図１】本発明に係る実施形態の照明器具取付装置を示す縦断面図
【図２】実施形態の照明器具取付装置を示す一部切断斜視図
【発明を実施するための形態】
【００１３】
以下、本発明に係る実施形態の照明器具取付装置について、図面を参照して説明する。
図１は、本発明に係る照明器具取付装置１０を示す。この照明器具取付装置１０は、照明器具１１を天井３０の照明器具取付孔３１に着脱可能に取り付ける構成とされている。
【００１４】
この照明器具取付装置１０は、照明器具１１を着脱可能に保持するリニューアルプレート１２を有する。また、照明器具取付装置１０は、リニューアルプレート１２の上面１３に設けられ、照明器具取付孔３１の直径方向に間隔をあけて配設された複数の被係合部である挿通孔１４を有するガイド部１５を備えている。また、照明器具取付装置１０は、ガイド部１５における挿通孔１４に着脱可能に係合される係合部１６、および照明器具取付孔３１の周壁部３２に係止される係止部１７を有する着脱治具１８を備えている。
【００１５】
次に、上記各構成要素について説明する。天井３０の既設の照明器具取付孔３１は、その直径が様々な寸法に形成されている。リニューアルプレート１２は、図２に示すように、薄型で円形の皿状に形成され、その中央部に照明器具１１を取り付ける円形の開口１９が設けられている。
【００１６】
ガイド部１５はレール状に形成され、照明器具取付孔３１の直径線の両側に１対配設されている。これらの１対のガイド部１５は、リニューアルプレート１２における開口１９の中心に対して、点対称の位置に２組設けられている。なお、ガイド部１５は、開口１９の円周方向に２組以上設けることができる。ガイド部１５には、照明器具取付孔３１の直径線方向に適宜な間隔をあけて、リニューアルプレート１２の上面１３と平行、かつ開口１９の直径線と直交する複数の挿通孔１４が設けられている。左右のガイド部１５における挿通孔１４の位置は、互いに整合している。
【００１７】
着脱治具１８は、平面視縦長の長方形状で、断面コ字状の本体２０の下部に突設され、互いに外側を向くＬ字状の上記係合部１６を有している。これらの係合部１６，１６は弾性を有する棒状部材によって形成され、互いに接近または離間する方向に弾性変形可能である。本体２０の上下方向の中間部における外側面には、斜め外下方を向く係止部１７が突設されている。
【００１８】
本体２０における係止部１７の反対側の面（内側面）には、係止部１７が照明器具取付孔３１の周壁部３２に係止された状態で、着脱治具本体２０の姿勢、従って、係止部１７の姿勢を保持する姿勢保持部２１が設けられている。この姿勢保持部２１は、本体２０とリニューアルプレート１２との間に支え棒のように斜めに掛け渡される。
【００１９】
着脱治具１８をリニューアルプレート１２に取り付けるには、図２に示すように、係合部１６，１６を指等で挟み、その間隔を小さくして、両側のガイド部１５，１５における互いに整合する挿通孔１４，１４に挿入すればよい。
【００２０】
また、リニューアルプレート１２を天井３０の照明器具取付孔３１に装着するには、図１に示すように、リニューアルプレート１２に照明器具１１および左右両方の装着治具１８を取り付ける。そして、照明器具１１および装着治具１８を、照明器具取付孔３１に下方から挿入し、リニューアルプレート１２を照明器具取付孔３１の周壁部に押し当てる。この状態で、装着治具１８を外側に回動させて、係止部１７を照明器具取付孔３１の周壁部３２に係止させればよい。
【００２１】
装着治具１８の係止部１７は、弾性によって照明器具取付孔３１の周壁部３２に係止されるようにするのが好ましい。
【００２２】
本実施形態の照明器具取付装置１０によれば、天井３０の照明器具取付孔３１の大きさが変わった場合でも、リニューアルプレート１２の着脱治具１８の照明器具取付孔３１における直径線方向の位置を調整することができる。これにより、照明器具１１を保持するリニューアルプレート１２を照明器具取付孔３１に簡単に取り付けできる。したがって、従来のように、照明器具取付孔３１の大きさに合わせて、その都度リニューアルプレート１２を設計および製造する必要がなく、コストダウンが可能になる。
【００２３】
また、着脱治具１８は、係止部１７が照明器具取付孔３１の周壁部３２に係止された姿勢で、着脱治具本体２０の姿勢を保持する姿勢保持部２１を有するため、係止部１７が不用意に照明器具取付孔３１から外れるのを抑制できる。
【００２４】
また、着脱治具１８における係合部１６は被係合部１４方向に弾性変形可能に形成されているため、着脱治具１８のガイド部１５上における照明器具取付孔３１の直径線方向の位置を簡単に変更でき、各種の大きさの照明器具取付孔３１に簡単に対応できる。
【００２５】
また、係止部１７は、係合部１６が挿通孔１４に対して回動されることにより、照明器具取付孔３１の周壁部３２に係止または係止解錠されるため、係止部１７の係止または係止解除を簡単にできる。
【符号の説明】
【００２６】
１０  照明器具取付装置
１１  照明器具
１２  リニューアルプレート
１３  上面
１４  挿通孔
１５  ガイド部
１６  係合部
１７  係止部
１８  着脱治具
１９  開口
２０  着脱治具本体
２１  姿勢保持部
３０  天井
３１  照明器具取付孔
３２  周壁部
【図１】
2012195146.tif 000003
【図２】
2012195146.tif 000004